(57)【特許請求の範囲】
【請求項１】
電気信号を対応する空気圧信号に変換する電−空変換器において、
内部に端子台が配設された電−空変換器本体と、
前記電−空変換器本体の側面に形成された略円形状の取付用開口部を介して、前記端子台にケーブルを接続するための非防爆用ジョイント部材と、
を備え、前記非防爆用ジョイント部材には、前記取付用開口部から偏位した部位に配置された前記端子台側に向かって前記ケーブルを案内する傾斜面が形成されたガイド部が設けられ、前記ガイド部は、前記取付用開口部側に突出すると共に、前記傾斜面は、前記端子台に向かって斜め上方に傾斜して形成され、前記ケーブルを当接させて折曲することにより該端子台へと案内することを特徴とする電−空変換器。
【発明の詳細な説明】
【０００１】
【発明の属する技術分野】
本発明は、入力された電気信号を対応する空気圧信号に変換して出力することが可能な電−空変換器に関する。
【０００２】
【従来の技術】
従来から、例えば、電−空ポジショナ等の電−空変換器が用いられ、この電−空ポジショナは、入力信号に比例したストローク位置にシリンダのピストンロッドを位置決め制御するポジショナ付シリンダとして構成されている。前記ポジショナ付シリンダは、例えば、バルブの自動開閉、リフタの位置決め、およびホッパーゲートの開閉調整等に利用されている。
【０００３】
この点に関し、本出願人は、非防爆型用アタッチメントと防爆型用アタッチメントとを選択的に装着して非防爆型と防爆型とに共用可能な電−空変換器を提案している（実公平７−２５４４２号公報参照）。
【０００４】
すなわち、電−空変換器本体を防爆型用、非防爆型用として共用可能に構成し、一方、防爆型用アタッチメントと非防爆型用アタッチメントとをそれぞれ用意し、必要に応じて前記防爆型用アタッチメントあるいは非防爆型用アタッチメントのいずれかを前記電−空変換器本体に対して選択的に組み込むことにより、防爆型用または非防爆型用のいずれの用途にも使用することが可能な電−空変換器を提案している。
【０００５】
図３に示されるように、非防爆型用の電−空変換器２では、電−空変換器本体４の内部に端子台６が収装され、前記端子台６の下方側に近接する部位にはトルクモータ８のボス部１０が配置されている。前記トルクモータ８に給電するためのリード線１２ａ、１２ｂが前記ボス部１０を介して端子台６に接続されている。
【０００６】
また、電−空変換器本体４には略長円状の取付用孔部１４が形成され、前記取付用孔部１４には、図４に示されるように、該取付用孔部１４の形状に対応して略長円状のボデイ１６を有する非防爆型用アタッチメント１８が装着される。前記取付用孔部１４には、非防爆型用アタッチメント１８を介してケーブル２０が挿入され、ケーブル２０内のリード線２２ａ、２２ｂが端子台６に接続される。この場合、前記ケーブル２０内のリード線２２ａ、２２ｂは、トルクモータ８のボス部１０の軸線から偏位して上部側に位置する非防爆型用アタッチメント１８のねじ部２４を通じて端子台６に接続される。
【０００７】
次に、防爆型用の電−空変換器２６を図５に示す。この防爆型用の電−変換器２６には、前記電−空変換器本体４と別体で構成された端子箱２８が連設され、前記端子箱２８の内部には端子台６が収装される。前記端子箱２８には防爆型用アタッチメント３０が設けられ、前記防爆型用アタッチメント３０には、電−空変換器本体４の取付用孔部１４に挿入される円筒状の挿入部３２が突出して形成される。前記挿入部３２の貫通孔を介してトルクモータ８に給電するためのリード線１２ａ、１２ｂが端子台６に接続されている。
【０００８】
このように、電−空変換器本体４の取付用孔部１４は、非防爆型用アタッチメント１８または防爆型用アタッチメント３０のいずれか一方が選択的に装着されるため、略長円状に形成されている。
【０００９】
前記電−空変換器本体４の取付用孔部１４の形状が略長円状に形成される理由としては、例えば、非防爆型用アタッチメント１８の挿入部２４がトルクモータ８のボス部１０と同軸状に設けられると、前記挿入部２４がトルクモータ８のボス部１０に当接してトルクモータ８側のリード線１２ａ、１２ｂを損傷させるおそれがあるとともに、ケーブル２０内のリード線２２ａ、２２ｂがトルクモータ８のボス部１０に接触してケーブル２０内のリード線２２ａ、２２ｂを端子台６に接続するための配線作業が困難となるからである。
【００１０】
【発明が解決しようとする課題】
本発明は、前記の提案に係る電−空変換器の改良型に関するものであり、電−空変換器本体の高さ方向の寸法を抑制して小型・軽量化を図ることが可能な電−空変換器を提供することを目的とする。
【００１１】
【課題を解決するための手段】
前記の目的を達成するために、本発明は、電気信号を対応する空気圧信号に変換する電−空変換器において、
内部に端子台が配設された電−空変換器本体と、
前記電−空変換器本体の側面に形成された略円形状の取付用開口部を介して、前記端子台にケーブルを接続するための非防爆用ジョイント部材と、
を備え、前記非防爆用ジョイント部材には、前記取付用開口部から偏位した部位に配置された前記端子台側に向かってケーブルを案内する傾斜面が形成されたガイド部が設けられることを特徴とする。
【００１２】
本発明によれば、ケーブルを電−空変換器本体内の端子台に接続する配線作業を行う際、非防爆用ジョイント部材に挿入されたケーブルは、ガイド部の傾斜面に当接し、さらに押圧されることにより傾斜面に沿って右上がりの斜め上方の端子台に向かって進入する。
【００１３】
従って、本発明では、ケーブルを端子台側の斜め上方に向かって案内するガイド部の案内作用によって電−空変換器本体の側面に形成された取付用開口部の形状を略円形状に形成することができ、取付用開口部を略長円状に形成した場合と比較して、電−空変換器の高さ方向の寸法が抑制される。
【００１４】
【発明の実施の形態】
本発明に係る電−空変換器について好適な実施の形態を挙げ、添付の図面を参照しながら以下詳細に説明する。
【００１５】
図１において、参照数字５０は、本発明の実施の形態に係る電−空変換器を示す。
【００１６】
この電−空変換器５０は、非防爆型として用いられるものであり、シール部材を介して取り外し自在に設けられたカバー５１を含む電−空変換器本体５２と、コネクタ５４を介してケーブル５６が接続される非防爆用ジョイント部材５８とから構成されている。前記電−空変換器本体５２の一側面には、断面略円形状の取付用開口部６０が形成され、前記取付用開口部６０の周囲を囲繞するＯリング６２を介して該電−空変換器本体５２の一側面に非防爆用ジョイント部材５８が連結される。
【００１７】
この電−空変換器５０は非防爆型であるため、電−空変換器本体５２内に端子台６４が収装されている。前記端子台６４の下方側にはトルクモータ６６のボス部６８が取付用開口部６０に向かって略水平方向に所定長だけ突出して設けられ、前記トルクモータ６６に給電するためのトルクモータ用リード線７０ａ、７０ｂがボス部６８の端部から露呈し、前記トルクモータ用リード線７０ａ、７０ｂの一端部が端子台６４に電気的に接続されている。
【００１８】
非防爆用ジョイント部材５８は、図２に示されるように、円筒部７２と、前記円筒部７２の両側に相互に対向するように膨出して形成された一組の膨出部７４ａ、７４ｂとから構成される。前記円筒部７２の軸線方向に沿った一端部にはコネクタ５４のねじ部が螺入されるねじ孔７６が形成され（図１参照）、他端部には、前記ねじ孔７６に沿って挿入されたケーブル５６が当接して斜め上方の端子台６４側に向かって前記ケーブル５６を案内するガイド部７８が形成されている。このガイド部７８は、円筒部７２と一体的に設けられ、ケーブル５６を右上がりの斜め上方に向かって折曲させる所定角度傾斜した傾斜面８０を有し、円筒部７２の端面からボス部６８側に向かって僅かに突出して形成されている。
【００１９】
また、前記膨出部７４ａ、７４ｂには、非防爆用ジョイント部材５８を電−空変換器本体５２に締結するねじ部材８２が挿通される孔部８４ａ、８４ｂが形成され、前記ねじ部材８２を介して非防爆用ジョイント部材５８が電−空変換器本体５２に着脱自在に装着される。
【００２０】
なお、前記ケーブル５６内には、図示しないコントローラからの制御信号が送給されるリード線８６ａ、８６ｂが配設され、前記リード線８６ａ、８６ｂの端部を端子台６４に接続することにより、トルクモータ６６の回転駆動力が制御信号に基づいて制御される。
【００２１】
本発明の実施の形態に係る電−空変換器５０は、基本的には以上のように構成されるものであり、次にその作用効果について説明する。
【００２２】
先ず、ケーブル５６の一端部に設けられたコネクタ５４を非防爆用ジョイント部材５８のねじ孔７６に挿入し、ケーブル５６内のリード線８６ａ、８６ｂを電−空変換器本体５２内の端子台６４に接続する配線作業を行う。前記ケーブル５６の他端部は図示しないコントローラに接続されており、前記コントローラからトルクモータ６６の制御信号が導出される。
【００２３】
前記配線作業を遂行する際、非防爆用ジョイント部材５８のねじ孔７６に沿って進入するケーブル５６（リード線８６ａ、８６ｂを含む）は、円筒部７２の端部に形成されたガイド部７８の傾斜面８０に当接し、さらに押圧されることにより、前記ケーブル５６は傾斜面８０に沿って右上がりの斜め上方の端子台６４に向かって進入する（図２参照）。非防爆用ジョイント部材５８から取り出されたリード線８６ａ、８６ｂは、トルクモータ６６のボス部６８に当接することがなく、且つトルクモータ用リード線７０ａ、７０ｂに損傷を与えることがなく、リード線８６ａ、８６ｂを端子台６４側に向かって案内することができる。従って、作業者は、電−空変換器本体５２のカバー５１を取り外して、端子台６４に前記リード線８６ａ、８６ｂを簡便に接続することができる。
【００２４】
ケーブル５６を介して図示しないコントローラから導出される制御信号は、電−空変換器５０に対する入力信号として機能するものであり、前記入力信号に比例する空気圧信号、すなわち、入力信号に比例する圧力値からなるエアーが図示しないシリンダ等の空気圧機器に対して導出される。
【００２５】
本実施の形態では、非防爆用ジョイント部材５８の端部に、ケーブル５６を端子台６４側の斜め上方に向かって案内するガイド部７８を設けることにより、電−空変換器本体５２の一側面に形成された取付用開口部６０を略円形状に形成することができる。
【００２６】
従って、本実施の形態では、取付用開口部６０の形状を長円状に形成した場合と比較して、取付用開口部６０の形状を略円形状に形成することにより、電−空変換器本体５２の高さ寸法を抑制して、装置全体の小型・軽量化を図ることができる。
【００２７】
【発明の効果】
本発明によれば、以下の効果が得られる。
【００２８】
すなわち、ケーブルを端子台側の斜め上方に向かって案内するガイド部の案内作用によって電−空変換器本体の側面に形成された取付用開口部の形状を略円形状に形成することができ、取付用開口部を略長円状に形成した場合と比較して、電−空変換器の高さ方向の寸法を抑制して装置全体の小型・軽量化を図ることができる。
【図面の簡単な説明】
【図１】本発明の実施の形態に係る電−空変換器の一部省略縦断面図である。
【図２】図１の電−空変換器を構成する非防爆用ジョイント部材を電−空変換器本体に対して取り付ける状態を示す斜視図である。
【図３】本出願人が案出した非防爆型用の電−空変換器の一部省略縦断面図である。
【図４】図３の矢印Ａ方向からみた非防爆型用アタッチメントの矢視図である。
【図５】本出願人が案出した防爆型用の電−空変換器の一部省略縦断面図である。
【符号の説明】
５０…電−空変換器                      ５２…電−空変換器本体
５４…コネクタ                          ５６…ケーブル
５８…非防爆用ジョイント部材            ６０…取付用開口部
６２…Ｏリング                          ６４…端子台
６６…トルクモータ                      ６８…ボス部
７０ａ、７０ｂ…トルクモータ用リード線  ７２…円筒部
７４ａ、７４ｂ…膨出部                  ７６…ねじ孔
７８…ガイド部                          ８０…傾斜面
８２…ねじ部材                          ８６ａ、８６ｂ…リード線
【図１】
0004915541.tif 000002
【図２】
0004915541.tif 000003
【図３】
0004915541.tif 000004
【図４】
0004915541.tif 000005
【図５】
0004915541.tif 000006